(57)【特許請求の範囲】
【請求項１】
内容物を収容するための収容部と、外周３辺を裏面側へ折り返して形成した折り返し部とを有する合成樹脂材料からなるブリスター本体と、前記折り返し部に外周３辺が嵌合するように、ブリスター本体の残り一辺の台紙挿入辺側からブリスター本体の裏面側に挿入して組み付けた台紙とを備えたブリスター包装体において、
前記ブリスター本体の台紙挿入辺に台紙の裏面側へ折り曲げ可能に延びる一定長さを有する差し込み片を連設し、
前記差し込み片の長さ方向の遊端部に、該差し込み片の幅方向の一側方へ突出する第１係止部と、幅方向の他側方へ突出する第２係止部とを設け、
前記台紙に、前記差し込み片の遊端部が挿入される挿入口を、前記差し込み片を台紙に沿わせて配置させた状態を基準にして、次の３つの条件を満足するように、少なくともＡ地点とＢ地点とにわたって形成し、
前記挿入口に対する差し込み片の係止構造をブリスター包装体の前面側及び裏面側から目視できないように構成した、
ことを特徴とするブリスター包装体。
第１条件：Ａ地点の幅方向位置を第１係止部の先端部と基端部間に設定し、Ａ地点の長さ方向位置を第１係止部よりも台紙挿入辺側の位置に設定する。
第２条件：Ｂ地点の幅方向位置を第２係止部の先端部と基端部間に設定し、Ｂ地点の長さ方向位置をＡ地点よりも台紙挿入辺側から離れた位置で、Ａ地点までの距離が第１係止部の台紙挿入辺側の基部を中心とした第２係止部の先端部側に外接する円の半径以上に大きい位置に設定する。
第３条件：Ａ地点とＢ地点間における挿入口の途中部に、第２係止部の先端部と基端部間の幅方向位置において、第２係止部の台紙側挿入辺側の縁部以上に台紙挿入辺側に位置する部分を形成する。
【請求項２】
前記第１係止部の台紙挿入辺側の側縁を第２係止部の台紙挿入辺側の側縁よりも台紙挿入辺側に配置した請求項１記載のブリスター包装体。
【請求項３】
前記第１係止部の幅方向の突出長さを第２係止部の幅方向の突出長さよりも長く設定した請求項１又は２記載のブリスター包装体。
【請求項４】
前記Ｂ地点側に、一旦台紙挿入辺側とは反対側へ延びてから台紙挿入辺側へ延びる、円弧状の切り込みからなる案内部を形成した請求項１〜３のいずれか１項記載のブリスター包装体。
【請求項５】
前記案内部の長さ方向の大きさを第２係止部の基部の長さ方向の大きさよりも小さく設定した請求項４記載のブリスター包装体。
【請求項６】
前記挿入口をその途中部が前記台紙挿入辺側へ突出する湾曲状に形成した請求項１〜４のいずれか１項記載のブリスター包装体。
【請求項７】
前記挿入口を差し込み片の途中部が遊嵌状に挿通可能な細長い開口で構成した請求項１〜５のいずれか１項記載のブリスター包装体。
【請求項８】
前記台紙に、前記挿通口に連なる解除口を形成可能な切取部を形成した請求項１〜７のいずれか１項記載のブリスター包装体。
【発明の詳細な説明】
【技術分野】
【０００１】
本発明は、ブリスター包装体に関するものである。
【背景技術】
【０００２】
ブリスター包装体として、中央部に内容物を収容可能な収容部を形成するとともに、外周３辺に裏面側へ折り返した折り返し部を形成した透明な合成樹脂材料からなるブリスター本体と、前記折り返し部に外周３辺が嵌合するように、ブリスター本体の残り一辺の台紙挿入辺側からブリスター本体の裏面側に挿入して組み付けた台紙とを備えたものが広く採用されている。
【０００３】
通常、このブリスター包装体に対して内容物を収容する際には、先ずブリスター本体の収容部に内容物を装填した後、ブリスター本体の３つの折り返し部に台紙の３辺が嵌合するように、ブリスター本体の残り一辺の台紙挿入辺側からブリスター本体の裏面側へ台紙を装填し、その後ブリスター本体の台紙挿入辺側の部分をステイプラーで台紙に固定して、内容物を抜き取り不能に収容している。
【０００４】
一方、ステイプラーによる固定に代えて、ブリスター包装体の台紙挿入辺に台紙の裏側へ折り曲げ可能に延びる一定長さを有する差し込み片を連設し、該差し込み辺の遊端部に幅方向の両側へ突出する係止部を形成するとともに、前記差し込み片の遊端部が挿入係止される挿入口として、差し込み片の幅方向に、両係止部の基端部間よりも幅広で、両係止部の先端部間よりも幅狭のスリットからなる挿入口を台紙に形成し、差し込み片の遊端部を湾曲させながら、両係止部を挿入口に挿入することで、台紙挿入辺を容易に開封できないように構成したブリスター包装体も提案されている（例えば、特許文献１参照。）。
【先行技術文献】
【特許文献】
【０００５】
【特許文献１】特開２００７−１５６９５号公報
【発明の概要】
【発明が解決しようとする課題】
【０００６】
前記特許文献１記載のブリスター包装体では、挿入口の長さが両係止片の先端部間よりも短いので、差し込み片を挿入口に一旦挿入して係止させると、引っ張っただけでは、差し込み片を挿入口から抜き取ることができないという利点を有している。しかし、挿入口の形状や、挿入口の開口から確認できる両係止部の基部の位置などから、係止構造を容易に推測することができるので、例えば一方の係止部を挿入口から無理抜きして、挿入口から差し込み片を抜き取り、内容物を抜き取ったり内容物を入れ替えたりするなどの悪戯を防止することができなかった。
【０００７】
本発明の目的は、差し込み片を挿入口に容易に挿入でき、しかも挿入した差し込み片の挿入口からの抜き取りが困難なブリスター包装体を提供することである。
【課題を解決するための手段】
【０００８】
本発明に係るブリスター包装体は、内容物を収容するための収容部と、外周３辺を裏面側へ折り返して形成した折り返し部とを有する合成樹脂材料からなるブリスター本体と、前記折り返し部に外周３辺が嵌合するように、ブリスター本体の残り一辺の台紙挿入辺側からブリスター本体の裏面側に挿入して組み付けた台紙とを備えたブリスター包装体において、前記ブリスター本体の台紙挿入辺に台紙の裏面側へ折り曲げ可能に延びる一定長さを有する差し込み片を連設し、前記差し込み片の長さ方向の遊端部に、該差し込み片の幅方向の一側方へ突出する第１係止部と、幅方向の他側方へ突出する第２係止部とを設け、前記台紙に、前記差し込み片の遊端部が挿入される挿入口を、前記差し込み片を台紙に沿わせて配置させた状態を基準にして、次の３つの条件を満足するように、少なくともＡ地点とＢ地点とにわたって形成し、前記挿入口に対する差し込み片の係止構造をブリスター包装体の前面側及び裏面側から目視できないように構成したものである。
【０００９】
第１条件：Ａ地点の幅方向位置を第１係止部の先端部と基端部間に設定し、Ａ地点の長さ方向位置を第１係止部よりも台紙挿入辺側の位置に設定する。
第２条件：Ｂ地点の幅方向位置を第２係止部の先端部と基端部間に設定し、Ｂ地点の長さ方向位置をＡ地点よりも台紙挿入辺側から離れた位置で、Ａ地点までの距離が第１係止部の台紙挿入辺側の基部を中心とした第２係止部の先端部側に外接する円の半径以上に大きい位置に設定する。
第３条件：Ａ地点とＢ地点間における挿入口の途中部に、第２係止部の先端部と基端部間の幅方向位置において、第２係止部の台紙側挿入辺側の縁部以上に台紙挿入辺側に位置する部分を形成する。
【００１０】
このブリスター包装体では、台紙の少なくともＡ地点からＢ地点にわたって挿入口が形成されることになるが、Ｂ地点はＡ地点よりもブリスター本体の前記台紙挿入辺から離れた位置に配置されるので、挿入口は前記台紙挿入辺に対して例えば傾斜状に形成される。このため、差し込み片を挿入口に差し込む際には、先ずブリスター包装体の裏面側に台紙を装填した状態で、差し込み片を台紙の裏面側へ折り曲げ、その後差し込み片の途中部を捩じって、差し込み片の長さ方向の途中部の第１係止部側の側縁が台紙側に接近して配置され、第２係止部側の側縁が台紙から円弧状に浮きあがって配置されるように、差し込み片を変形させながら、第１係止部を挿入口に挿入し、次に、第１係止部の台紙挿入辺側の基部に挿入口の口縁が位置するように、差し込み片の捩じりを戻しながら差し込み片の遊端側を挿入口に押し込み、最後に第１係止部の基部を中心に差し込み片を反対側へ捩じって、第２係止部を挿入口の口縁から台紙の表側に押し込んで、差し込み片を挿入口に差し込むことになる。
【００１１】
このように、このブリスター包装体では、第１係止部を挿入口に挿入してから、第２係止部を挿入口に挿入して、差し込み部の遊端部の全体を挿入口に挿入するので、特許文献１記載の発明のように両係止部を同時に挿入する場合と比較して、ブリスター包装体の組立作業を効率的に行うことが可能となる。また、挿入口が傾斜状の直線や湾曲状の曲線や倒立Ｌ字状のスリットなどで構成され、しかも差し込み片がその途中部を捩じった状態で挿入口に挿入されるので、外側から見ただけでは、差し込み片の係止構造を判別できず、差し込み片の取外し方法を容易には把握できない。このため差し込み片を取り外して、内容物を抜き取ったり、内容物を交換したりするなどの悪戯を効果的に防止できる。
【００１２】
ここで、前記第１係止部の台紙挿入辺側の側縁を第２係止部の台紙挿入辺側の側縁よりも台紙挿入辺側に配置することが好ましい実施の形態である。第１係止部と第２係止部とは鏡面対称に構成することも可能であるが、本発明のように構成すると、挿入口を通じて目視可能な、第１係止部と第２係止部の基部の位置が異なり、どのような係止構造で差し込み片が係止されているのか、外側から見ただけでは判別できないことから、差し込み片の取外し方法が全く把握できず、差し込み片を取り外して、内容物を抜き取ったり、内容物を交換したりするという悪戯を一層効果的に防止できる。
【００１３】
前記第１係止部の幅方向の突出長さを第２係止部の幅方向の突出長さよりも長く設定することが好ましい実施の形態である。つまり、差し込み片を挿入口に挿入する際には、先ず第１係止部を挿入口に差し込むことになるが、このとき、第１係止部の幅方向の突出長さが長いと、第１係止部を挿入口に引っ掛けた状態に保持できるので、この状態で差し込み片に対する手を持ちかえて、第２係止部を挿入口に挿入することができ、差し込み片の挿入作業が容易になるので好ましい。
【００１４】
前記Ｂ地点側に、一旦台紙挿入辺側とは反対側へ延びてから台紙挿入辺側へ延びる、円弧状の切り込みからなる案内部を形成することが好ましい実施の形態である。この場合には、差し込み片の挿入時に、案内部を通じて第２係止部を台紙の前側へ挿入案内できるので、差し込み片の挿入作業が一層容易になる。しかも、案内部により台紙には円弧状のフラップが形成されるので、差し込み片の挿入後は、このフラップにより台紙の裏側への第２係止部の移動を効果的に規制できる。
【００１５】
前述のように案内部を形成する場合には、前記案内部の長さ方向の大きさを第２係止部の基部の長さ方向の大きさよりも小さく設定することが好ましい。この場合には、挿入口に対する第２係止部の挿入作業をより円滑に行うことが可能となる。
【００１６】
前記挿入口をその途中部が前記台紙挿入辺側へ突出する湾曲状に形成することが好ましい実施の形態である。挿通口の形状は、Ａ地点とＢ地点の位置が前記３つの条件を満足するものであれば任意に設定できるが、本発明のように台紙挿入辺側へ突出する湾曲状に形成すると、差し込み片の第１係止部を挿入口に挿入するときに、第１係止部の端部で台紙のうちの挿入口よりも台紙挿入辺側の部分を押すことで、挿入口の台紙挿入辺側とは反対側の縁部と、表側の台紙間に隙間を形成して、第１係止部を挿入口に容易に挿入できるので好ましい。
【００１７】
前記挿入口を差し込み片の途中部が遊嵌状に挿通可能な細長い開口で構成することも好ましい実施の形態である。このように構成すると、挿入口に対する第１係止部の挿入作業をより一層円滑に行うことが可能となる。しかも、差し込み片を抜き取ろうとして差し込み片を引っ張ると、挿入口のうちの台紙挿入辺側の側縁の端部に両係止部が係合して、差し込み片が反対に抜け難くなるので、差し込み片を取り外して、内容物を抜き取ったり、内容物を交換したりするなどの悪戯をより一層効果的に防止できる。
【００１８】
前記台紙に、前記挿通口に連なる解除口を形成可能な切取部を形成することが好ましい実施の形態である。この場合には、切取部を切り取ることで、挿入口から差し込み片を容易に抜き取ることができるので、正規の利用者がブリスター包装体を容易に開封することができる。また、切取部が切り取られているか否により、悪戯されているか否かを容易に判別できるので、悪戯された商品の販売を未然に防止できる。
【発明の効果】
【００１９】
本発明に係るブリスター包装体によれば、第１係止部を挿入口に挿入してから、第２係止部を挿入口に挿入して、差し込み部の遊端部の全体を挿入口に挿入するので、特許文献１記載の発明のように両係止部を同時に挿入する場合と比較して、ブリスター包装体の組立作業を効率的に行うことが可能となる。また、挿入口が傾斜状の直線や湾曲状の曲線や倒立Ｌ字状のスリットなどで構成され、しかも差し込み片がその途中部を捩じった状態で挿入口に挿入されるので、外側から見ただけでは、差し込み片の係止構造を判別できず、差し込み片の取外し方法を容易には把握できない。このため差し込み片を取り外して、内容物を抜き取ったり、内容物を交換したりするなどの悪戯を効果的に防止できる。
【図面の簡単な説明】
【００２０】
【図１】ブリスター包装体の斜視図
【図２】ブリスター包装体の分解斜視図
【図３】ブリスター包装体の係止手段付近の背面図
【図４】（ａ）（ｂ）は係止手段の使用方法の説明図
【図５】差し込み片を引き抜こうとした場合の作動説明図
【図６】他の構成の係止手段付近の背面図
【図７】他の構成の係止手段付近の背面図
【図８】他の構成の係止手段付近の背面図
【発明を実施するための形態】
【００２１】
以下、本発明の実施の形態について、図面を参照しながら説明する。本実施の形態では、図１、図２の前後左右を基準に前後左右を定義して説明する。
【００２２】
図１、図２に示すように、ブリスター包装体１は、内容物を収容するための収容部１１と、外周３辺（左辺と右辺と下辺）を裏面側（後面側）へ折り返して形成した折り返し部１２とを有する合成樹脂材料からなるブリスター本体１０と、外周３辺の折り返し部１２に外周３辺（左辺と右辺と下辺）を嵌合させてブリスター本体１０の後面側（裏面側）に組み付けた台紙２０とを備え、ブリスター包装体１の上部においてブリスター本体１０と台紙２０間に台紙２０を抜き取り不能に係止する係止手段２を設けたものである。ブリスター本体１０及び台紙２０の上部には引っ掛け孔３が形成され、この引っ掛け孔３に陳列用のハンガーを挿通させて、ブリスター包装体１とともに内容物を陳列できるように構成されている。ただし、台紙２０をブリスター包装体１の下辺側や左辺側や右辺側から挿入するように構成して、係止手段２をブリスター包装体１の下辺側や左辺側や右辺側に設けることも可能である。
【００２３】
内容物としては、電動ブラシやその関連商品、歯ブラシや歯間ブラシ、一次電池や二次電池などの小型な電子部品、デジタルカメラや充電器などの小型な電子機器、ドリルやペンチなどの小型な工具類など、各種商品を収容できる。
【００２４】
ブリスター本体１０は、収容部１１に装填した内容物を十分に観察できるように、ＰＥＴ（ポリエチレンテレフタレート）、ＰＰ（ポリプロピレン）、ＰＳ（ポリスチレン）などの無色透明な合成樹脂シートで構成され、このような材料からなる合成樹脂シートを真空成形又は圧空成形により所定形状に成形して製作されている。但し、カバー部材を構成する合成樹脂シートは、透視可能なものであれば、色付きの透明な合成樹脂シートで構成することも可能であるし、半透明な合成樹脂シートで構成することも可能である。
【００２５】
ブリスター本体１０の中央部には内容物の形状に適合する形状の収容部１１が前方へ突出状に形成されている。ブリスター本体１０の外周部には収容部１１の外周縁から外方へ延びる方形状の平坦部１３が形成され、平坦部１３の外周の左辺と右辺と下辺の３辺には裏面側へ折り返してなる折り返し部１２がこれら３つの辺の略全長にわたって形成されている。なお、収容部１１の形状や個数や形成位置などは、収容する内容物に応じて適宜に設定することができる。
【００２６】
台紙２０は、方形状の前面シート２１と後面シート２２とを備え、厚紙や合成樹脂シートからなる細長い方形状の素材シートを２つ折りにして製作されている。この台紙２０は、外周の左辺と右辺と下辺の３辺をブリスター本体１０の折り返し部１２に嵌合させて、ブリスター本体１０の収容部１１の後面側の開口を閉鎖するように、ブリスター本体１０の後面側に組み付けられている。このように台紙２０を前面シート２１と後面シート２２の２枚のシートで構成することで、係止手段２による係止構造を前面シート２１により覆って、ブリスター包装体１の前側からは把握できないように構成されている。ただし、収容した内容物やブリスター本体１０に貼り付けるラベルなどにより、ブリスター包装体１の前側から係止手段２の係止構造を把握できない場合には、台紙２０として１枚ものの単層構造のものを用いることも可能である。
【００２７】
次に、係止手段２について説明する。
図２、図３に示すように、係止手段２は、ブリスター本体１０の上辺（台紙挿入辺）１０Ｕに台紙２０の後面側へ折り曲げ可能に連設した差し込み片１４と、該差し込み片１４の遊端の差し込み部１５が挿入係止される後面シート２２に形成した挿入口２３と、差し込み部１５と挿入口２３との係合を解除するために後面シート２２に形成した切取部２４とを備えている。
【００２８】
差し込み片１４は、ブリスター本体１０の上辺１０Ｕに沿って折り曲げ可能に連設される上部折り返し部１６と、上部折り返し部１６の略中央部に連設される略一定幅のアーム部１７と、アーム部１７の遊端部に設けた幅広の差し込み部１５とを備えている。差し込み部１５には幅方向の一側方（左方）へ突出する第１係止部１８と、幅方向の他側方（右方）へ突出する第２係止部１９とが設けられ、両係止部１８、１９の先端部間はアーム部１７の遊端部の幅よりも幅広に構成されている。第１係止部１８の突出長さＬ１は第２係止部１９の突出長さＬ２よりも長くなるように構成され、第１係止部１８の上側縁１８Ｕからブリスター本体１０の上辺１０Ｕまでの距離Ｌ３は、第２係止部１９の上側縁１９Ｕからブリスター本体１０の上辺１０Ｕまでの距離Ｌ４よりも小さくなるように構成されている。第１係止部１８の先端部は半円状に形成され、第２係止部１９は上辺１０Ｕ側を切り欠いた１／４円状に形成され、第２係止部１９の遊端側の外縁には円弧状のガイド部１９ａが形成されている。ただし、第１係止部１８と第２係止部１９とは左右対称に形成することも可能である。
【００２９】
挿入口２３は、図３に示すように、差し込み片１４を台紙２０に沿わせて配置させた状態を基準にして、次の３つの条件を満足するように、少なくともＡ地点ＰＡとＢ地点ＰＢとにわたって形成されている。挿入口２３は、Ａ地点ＰＡとＢ地点ＰＢとにわたって形成されていれば足りるが、それ以上に延長して形成することも可能である。ただし、Ａ地点ＰＡとＢ地点ＰＢから更に延長する場合には、差し込み片１４と挿入口２３との係合関係が解除され易くなるので、延長部分はできるだけ短く設定することが好ましい。
【００３０】
第１条件：Ａ地点ＰＡの左右方向位置（幅方向位置）を第１係止部１８の先端部と基端部間に設定し、Ａ地点ＰＡの上下方向位置（長さ方向位置）を第１係止部１８よりも上側（台紙挿入辺側）の位置に設定する。
第２条件：Ｂ地点ＰＢの左右方向位置を第２係止部１９の先端部と基端部間に設定し、Ｂ地点ＰＢの上下方向位置をＡ地点ＰＡよりも下側位置で、Ａ地点ＰＡまでの距離が第１係止部１８の上側縁１８Ｕの基端部１８Ｐを中心とした第２係止部１９の先端部側に外接する円の半径Ｒ以上に大きい位置に設定する。
第３条件：Ａ地点ＰＡとＢ地点ＰＢ間における挿入口２３の途中部に、第２係止部１９の先端部と基端部間の左右方向位置において、第２係止部１９の上側縁１９Ｕ以上に上側に位置する部分２３ａを形成する。なお、図７において部分２３ａとは、丸の枠内に配置される挿入口２３の途中部を意味する。
【００３１】
挿入口２３は、中央部が上側へ緩やかに突出する右側上がりの左右方向に細長い湾曲状の開口で構成され、挿入口２３の左側縁２３Ｌと右側縁２３Ｒとは略上下方向に形成され、挿入口２３に沿って差し込み片１４のアーム部１７が上下に移動できるように構成されている。ただし、挿入口２３は、図６に示す係止手段２Ａの挿入口２３Ａや、図７に示す係止手段２Ｂの挿入口２３Ｂのように、切り込みで構成することも可能であるし、図８に示す係止手段２Ｃの挿入口２３Ｃのように、開口３０と切り込みとの組み合わせにより構成することも可能である。また、上方へ緩やかに突出する湾曲状に形成したが、図６に示す挿入口２３Ａのように、Ａ地点ＰＡとＢ地点ＰＢとを結ぶ直線状に形成したり、図７に示す挿入口２３Ｂのように、Ａ地点ＰＡとＢ地点ＰＢとを結ぶ倒立Ｌ字状に形成したり、図８に示す挿入口２３Ｃのように、Ａ地点ＰＡとＢ地点ＰＢとを結ぶクランク状に形成したりすることも可能である。なお、Ｂ地点ＰＢは、図７に示すように、第２係止部１９の上側縁１９Ｕよりも下側に配置させることも可能である。このように、Ｂ地点ＰＢが第２係止部１９の上側縁１９Ｕよりも下側に配置されると、差し込み片１４を引っ張って係合を解除することが不可能になるので好ましい。ただし、差し込み片１４を挿入口２３に挿入した状態で、素材の弾性により差し込み片１４が台紙２０から離間する方向へ撓んで、Ｂ地点ＰＢが第２係止部１９の上側縁１９Ｕよりも下側に配置されるように構成することも好ましい。
【００３２】
挿入口２３には、Ｂ地点ＰＢから一旦下側へ延びてから上側へ延びる、円弧状の切り込みからなる案内部２５がＢ地点ＰＢに連なって形成され、後面シート２２における案内部２５の上側には半円状のフラップ２６が形成されている。案内部２５の上下方向の長さＬ５は任意に設定可能であるが、第２係止部１９の挿入性を良くするため、第２係止部１９の幅Ｄ１よりも小さく設定することが好ましい。この案内部２５は、第１係止部１８の挿入性を向上する上で設けることが好ましいが、省略することも可能である。
【００３３】
切取部２４は挿入口２３と略同じ上下方向位置において後面シート２２に左右方向に形成され、切取部２４の上下両側にはミシン目などからなる切取線２７が形成されている。切取部２４の右側には切取部２４の右端部を指で容易に摘まめるようにするための開封口２８が形成され、切取部２４の左側部分は挿入口２３に臨んで配置され、挿入口２３の下側縁２３Ｄは切取部２４の左側部分で構成され、切取部２４を切取線２７に沿って切り取ることで挿入口２３に連なる解除口を形成して、解除口を通じて差し込み部１５を容易に外部に取り出して、差し込み片１４と台紙２０との係合を解除できるように構成されている。ただし、切取部２４は、挿入口２３の長さや開口面積を増やして差し込み部１５を外部に取り出せるように構成されていれば、その形成位置や形状などは任意に設定できる。例えば、図８に示す切取部２４Ｃのように、切取線２７Ｃに沿って切取部２４Ｃを切り取った状態で、挿入口２３の右端部に連なる縦向きの解除口が形成されるように構成することもできる。
【００３４】
次に、ブリスター包装体１に対する内容物の装填方法について説明する。
ブリスター包装体１に内容物を装填する際には、先ずブリスター本体１０の収容部１１に内容物を装填した後、ブリスター本体１０の３つの折り返し部１２に台紙２０の３辺が嵌合するように、ブリスター本体１０の上辺１０Ｕ側からブリスター本体１０の裏面側へ台紙２０を装填し、その後差し込み片１４を挿入口２３に挿入係止して、内容物を抜き取り不能に収容することになる。
【００３５】
差し込み片１４を挿入口２３に差し込む際には、差し込み片１４を台紙２０の裏面側へ折り曲げてから、図４（ａ）に示すように、差し込み片１４を捩じって、差し込み片１４のアーム部１７の右側縁（第１係止部１８側の側縁）１７Ｒが台紙２０に接近配置され、左側縁（第２係止部１９側の側縁）１７Ｌが台紙２０から円弧状に浮きあがるように、差し込み片１４を変形させながら、第１係止部１８を挿入口２３に挿入する。次に、図４（ｂ）に示すように、第１係止部１８の上側縁１８Ｕの基端部１８Ｐが挿入口２３の右端部の口縁（Ａ地点ＰＡ）に位置するように、差し込み片１４の捩じりを戻しながら差し込み片１４の遊端側を挿入口２３に押し込み、最後に第１係止部１８の基部１８Ｐを中心に差し込み片１４を反対側へ捩じって、第２係止部１９を挿入口２３の左側の口縁から台紙２０の前面側に押し込んで、差し込み片１４を挿入口２３に差し込むことになる。なお、案内部２５を形成することで、第２係止部１９の先端部を台紙２０の前面側へ容易に押し込むことが可能になる。ただし、案内部２５を切り込みで形成しているので、台紙２０の前面側に配置された第２係止部１９は、案内部２５により形成されるフラップ２６により台紙２０の前面側に容易には取り出せないように保持されることになる。
【００３６】
このように、このブリスター包装体１では、第１係止部１８を挿入口２３に挿入してから、第２係止部１９を挿入口２３に挿入するので、特許文献１記載の発明のように両係止部を同時に挿入する場合と比較して、ブリスター包装体１の組立作業を効率的に行うことが可能となる。また、挿入口２３が傾斜状の直線や湾曲状の曲線や倒立Ｌ字状などのスリットや開口で構成され、しかも差し込み片１４をその途中部を捩じった状態で挿入口２３に挿入するので、外側から見ただけでは、係止手段２による差し込み片１４の係止構造を判別できず、差し込み片１４の取外し方法を容易には把握できない。このため差し込み片１４を取り外して、内容物を抜き取ったり、内容物を交換したりするなどの悪戯を効果的に防止できる。
【００３７】
また、挿入口２３を細長い開口で構成しているので、挿入口２３に対して第２係止部１９を容易に挿入することが可能となる。しかも、挿入口２３の左側縁２３Ｌと右側縁２３Ｒとは略上下方向に形成されているので、差し込み片１４を抜き取ろうとして差し込み片１４を引っ張ると、図５に示すように、差し込み部１５が上側へ移動して、挿入口２３の上側縁２３Ｕの端部に両係止部１８、１９が係合し、差し込み片１４が反対に抜け難くなるので、差し込み片１４を取り外して、内容物を抜き取ったり、内容物を交換したりするなどの悪戯を一層効果的に防止できる。また、挿入口２３を上方へ突出する湾曲状に形成しているので、差し込み片１４の第１係止部１８を挿入口２３に挿入するときに、第１係止部１８の端部で台紙２０のうちの挿入口２３よりも上側部分を押すことで、挿入口２３の下側縁２３Ｄと前面シート２１間に隙間を形成して、第１係止部１８を挿入口２３に容易に挿入できるので好ましい。
【００３８】
なお、正規の利用者が内容物を取り出す際には、開封口２８に指を挿入して、切取部２４の端部を摘まんで、切取部２４を切れ目２７に沿って切り取って、後側シート２２に挿入口２３に連なる解除口を形成することで、解除口を通じて差し込み片１４と挿入口２３との係合を解除して、ブリスター本体１０から台紙２０を抜き取り、ブリスター包装体１を容易に開封することができる。また、切取部２４が切り取られているか否により、悪戯されているか否かを容易に判別できるので、悪戯された商品の販売を未然に防止できることになる。
【００３９】
以上、本発明の実施形態について説明したが、本発明はこうした前述の実施形態に何ら限定されるものではなく、本発明の要旨を逸脱しない範囲において構成を変更し得ることは勿論である。
【符号の説明】
【００４０】
１      ブリスター包装体        ２      係止手段
３      引っ掛け孔
１０    ブリスター本体          １０Ｕ  上辺
１１    収容部                  １２    折り返し部
１３    平坦部                  １４    差し込み片
１５    差し込み部              １６    上部折り返し部
１７    アーム部                １８    第１係止部
１８Ｐ  基端部                  １８Ｕ  上側縁
１９    第２係止部              １９ａ  ガイド部
１９Ｕ  上側縁
２０    台紙                    ２１    前面シート
２２    後面シート              ２３    挿入口
２３ａ  部分                    ２３Ｌ  左側縁
２３Ｒ  右側縁                  ２３Ｕ  上側縁
２４    切取部                  ２５    案内部
２６    フラップ                ２７    切取線
２８    開封口
２Ａ    係止手段                ２３Ａ  挿入口
２Ｂ    係止手段                ２３Ｂ  挿入口
２Ｃ    係止手段                ２３Ｃ  挿入口
２４Ｃ  切取部                  ３０    開口
ＰＡ    Ａ地点                  ＰＢ    Ｂ地点
Ｌ１    第１係止部の突出長さ
Ｌ２    第２係止部の突出長さ
Ｌ３    第１係止部の上側縁からブリスター本体の上辺までの距離
Ｌ４    第２係止部の上側縁からブリスター本体の上辺までの距離
【図１】
0005966508.tif 000002
【図２】
0005966508.tif 000003
【図３】
0005966508.tif 000004
【図４】
0005966508.tif 000005
【図５】
0005966508.tif 000006
【図６】
0005966508.tif 000007
【図７】
0005966508.tif 000008
【図８】
0005966508.tif 000009